(57)【要約】【課題】指輪、特に、ソリテールリング、を提供するための早く正確な組み立てを可能にするリング集合体を与える。【解決手段】斜面溝（２）と、この斜面溝（２）のための座部（４）を有するリング本体（３）とを有する、指輪を提供するために組み立てられることができるリング集合体において、前記斜面溝（２）は、リング本体（３）の前記座部（４）に相補的な固定部（９ａ）と、宝石のための定着部（９ｂ）とを有し、この定着部（９ｂ）は、宝石のサイズに従って変化し、一方、前記固定部（９ａ）と座部（４）とは、前記リング本体または宝石のサイズに関わらず相補的で所定の不変の形状を有することを特徴とするリング集合体を与える。【選択図】      図１
2006043452.tif 000002
【特許請求の範囲】
【請求項１】
斜面溝（２）と、この斜面溝（２）のための座部（４）を有するリング本体（３）とを具備する、指輪を提供するために組み立てられるリング集合体（１）において、
前記斜面溝（２）は、リング本体（３）の前記座部（４）に相補的な固定部（９ａ）と、宝石の定着部（９ｂ、９ｂ’、９ｂ’’）とを有し、この定着部（９ｂ、９ｂ’、９ｂ’’）は、宝石のサイズに従って変化し、また、前記固定部（９ａ）と座部（４）とは、前記リング本体（３）または宝石のサイズに関わらず所定の不変な相補的な外形を有することを特徴とするリング集合体。
【請求項２】
斜面溝（２）の前記座部（４）は、実質的にＶ字型の形状のノッチを有し、また、ノッチのフラップの両方を結合するブリッジ部（５）を備えた請求項１に係るリング集合体（１）。
【請求項３】
前記ブリッジ部（５）は、２つのリブ（６、６’）が設けられ、これらリブの輪郭は、直角を形成する前記ブリッジ部（５）から出る第１の部分と、前記ノッチのＶ字型の形状の輪郭に実質的に平行に前記リング本体（３）の外側の縁まで延びる第２の部分とを有する請求項２に係るリング集合体（１）。
【請求項４】
ブリッジ部（５）によって形成された部材、即ち、リブ（６、６’）は、前記リング本体（３）の幅よりも小さな幅を有し、かくしてこの部材の両側でノッチのフラップの両方に肩部（７）を形成している請求項３に係るリング集合体（１）。
【請求項５】
前記斜面溝（２）は、前記リング本体（３）の座部（４）の前記ノッチの輪郭に相補的な形状の２つの実質的にＶ字型の形状の定着手段（８）である、宝石のための定着手段を備える請求項１乃至４のいずれか１に係るリング集合体（１）。
【請求項６】
前記定着手段（８）は、２つのアーム（９）を有し、これらアームは、共通の頂点から出ることにより、凹状の輪郭でこの輪郭の長さのほぼ半分だけ、そして、凸状の輪郭でこの輪郭の長さの残りの部分だけ、外向きに延びており、これらアーム（９）は、リング本体（３）の前記座部（４）への固定部（９ａ）と、宝石のための定着部（９ｂ、９ｂ’、９ｂ’’）とを有する請求項５に係るリング集合体（１）。
【請求項７】
前記定着手段（８）は、ロッド（１０）により互いに結合され、このロッドは、両方のアーム（９）の間の溝の中に固定され、また、座部（４）の前記ブリッジ部（５）とリブ（６、６’）との幅に実質的に対応する距離だけ離れた前記定着手段（８）を保持する請求項５または６に係るリング集合体。
【請求項８】
前記ロッド（１０）は、宝石のための前記定着手段を有する請求項７に係るリング集合体（１）。
【請求項９】
宝石のための前記定着手段は、前記ロッド（１０）の中央に穴（１２）が設けられた凹状のくぼみ（１１）を有する請求項８に係るリング集合体（１）。
【請求項１０】
前記リング本体（３）と斜面溝（２）とは、２４ｋｔの金か白金かで形成されている請求項１乃至９のいずれか１のリング集合体（１）。
【請求項１１】
前記斜面溝（２）とリング本体（３）とは、レーザー溶接により組み立てられる請求項１乃至１０のいずれか１に係るリング集合体（１）から得られた指輪。
【請求項１２】
様々なサイズの一連のリング本体（３）を与える工程と、
様々なカラット重量の石のための一連の斜面溝（２）を与える工程と、
前記一連のリング本体（３）から１つのリング本体（３）を選択し、前記一連の斜面溝（２）から１つの斜面溝（２）を選択する工程と、
前記選択されたリング本体（３）と斜面溝（２）とをレーザー溶接により組み立てる工程とを具備する請求項１乃至１０に記載されているようなリング集合体（１）から指輪を製造するための方法。
【発明の詳細な説明】
【技術分野】
【０００１】
本発明は、指輪、特に、ソリテールリング、を提供する速くて正確な組み立てを可能にするリング集合体に関する。
【背景技術】
【０００２】
ソリテールリング、典型的にはダイヤモンド、は、世界で極めて最も広まったタイプの指輪である。実際、それは、伝統的な婚約の贈り物であり、いくつかの場合には、特に重要な記念日の機会に人生で一度以上与えられている。
【０００３】
そのため、指輪の製造者は、常に多くのソリテールリングを在庫で保っているべきであると理解されている。実際、様々なサイズの指輪が、顧客の指に合うように入手できる必要がある。さらに、ダイヤモンドのカラット重量範囲は、様々な要求に見合うように完全に取り揃えてあるべきものである。最も需要のあるダイヤモンドのカラット重量は５つである一方で、普通指輪と使われる１０サイズがある。このことは、そのようなタイプの指輪の製造者は、常に在庫で５０個の、すなわち、各々のダイヤモンドのカラット重量につき上述の１０サイズの指輪、指輪を保っていなければならないことを意味している。指輪（金か白金かの一方）と上の全てのダイヤモンドの高い値段を考慮して、製造者が、そのような在庫を維持するためにどれだけたくさんの費用をもたなければいけないか容易に想像することができる。
【特許文献１】米国特許Ｎｏ．６，４６７，３０８  Ｂ２；第１欄４４乃至５４行目、第３欄６４行目から第４欄３行目、第４欄１６乃至４４行目、図１及び図８乃至１５
【特許文献２】仏国公開公報Ｎｏ．２，８０８，４２９  Ａ；第２ページ１０乃至１９行目、第４ページ１９行目から第５ページ１４行目、請求項１乃至６及び図１乃至４
【特許文献３】米国公開公報Ｎｏ．２００４／０１６２６１  Ａ１；第６３乃至６７段落、図１乃至３、図４ａ、図４ｂ及び図４ｃ
【特許文献４】米国特許Ｎｏ．６，５３２，７６６  Ｂ１；第１７欄２６乃至３０行目
【特許文献５】米国公開公報Ｎｏ．２００１／０３５０２７  Ａ１；第２６段落、請求項１、図１及び図２
【発明の開示】
【発明が解決しようとする課題】
【０００４】
本発明が取り組んでいる第１の問題は、このように、指輪の製造者の顧客の要求に見合うことができる一方で、指輪の製造者が在庫を減らすことを可能にすることである。
【０００５】
本発明が取り組んでいる第２の問題は、リング本体への斜面溝の早くて正確な組み立てである。
【課題を解決するための手段】
【０００６】
第１の問題は、この中に添付された独立請求項に記述されているようなリング集合体と、請求項１２に記述されているような指輪を製造するための方法とにより解決される。
【０００７】
本発明のリング集合体は、ただ２つの部分、すなわち、リング本体と宝石を保持する斜面溝と、からなっている。以下で比較的良く記述されるように、本発明に係る前記集合体の特定の構造のおかげで、この領域の製造者は、普通の取り揃えに従って、様々なサイズのリング本体を１０個だけと、それぞれのカラット重量の宝石を備えた５つの斜面溝とを在庫で維持できるようになる。明らかに、このことは、コストにおける大きな節約を意味している。
【０００８】
第２の問題は、従属請求項に記述されているような本発明の実施の形態に従って解決される。
【発明を実施するための最良の形態】
【０００９】
本発明の目的を形成するリング集合体のさらなる特性と有利な点とは、好ましい実施の形態の記述からより明らかになる。好ましい実施の形態は、図を参照して制限のない例を通して以下にただちに与えられている。
【００１０】
図を参照して、本発明の目的を形成しているリング集合体は、ここで記述されることになる。
【００１１】
このリング集合体は、全体として参照符号１で示されており、斜面溝２とリング本体３とにより構成されている。
【００１２】
図１と図５とに示されているように、前記リング本体は、実質的に平坦な側面と、（外側の）凸状の上面と、凹状の（指と接触する）下面とを備えた実質的に矩形の断面を有している。前記リング本体３は、前記斜面溝２のための座部を有し、このリング本体３は、この座部４のところで大きな厚さと、この座部４から離れるにつれて減少する厚さとを有している。
【００１３】
斜面溝２のための前記座部４は、実質的にＶ字型形状のノッチを有し、このノッチの両方のフラップを接続するブリッジ部５を備えている。このブリッジ部５は、２つのリブ６、６’に続いており、このリブの輪郭は、直角を形成している前記ブリッジ部５から出ている第１の部分と、前記リング本体３の外側の縁まで実質的に前記ノッチのＶ字型の輪郭に平行に生じている第２の部分とを有している。ブリッジ部５により形成された部材、即ちリブ（６、６’）は、前記リング本体３の幅よりも小さな幅を有する。これにより、肩部７が、前記部材の両側で前記ノッチの両方のフラップに形成されている（図５では、ただ１つの肩部７が見られることができる）。
【００１４】
前記斜面溝２は、宝石のための定着手段を有する。この定着手段８は、図２、３、４において図示されている実施の形態において、２つの定着部材８を有し、これら定着部材８は、実質的にＶ字型であり、リング本体３の座部４の前記ノッチの輪郭と相補的な形状をしている。図に示された特に好ましい実施の形態において、これら定着手段８は、２つのアーム９を有している。これらアーム９は、共通の頂点から出ていることにより、外向きに、凹状の輪郭でこの輪郭のほぼ半分の長さを延び、凸状の輪郭でこの輪郭の長さの残りの部分を延びている。座部４のノッチは、明らかに整合する輪郭を有している。この形状は、前記斜面溝２が適当に前記リング本体３に接し、正確に前記肩部７に接することを可能にしている。
【００１５】
両方の定着手段８は、ロッド１０により互いに結合されている。このロッド１０は、例の中では、実質的に偏菱形の断面を有し、両方のアーム９の間の溝の中に固定されている。このロッド１０は、座部４のブリッジ部５とリブ６、６’との幅に実質的に対応している距離だけ離れた両方の定着手段８を保持している。
【００１６】
前記ロッド１０は、このロッドの中央で、穴１２を有する凹状の陥凹１１を備えている。この陥凹１１と穴１２の集合体は、宝石のための、特に、宝石の比較的低いカスプを収容する、定着手段を形成している。
【００１７】
図８に示されているように、前記斜面溝２は、リング本体に設けられた前記座部４に相補的である前記リング本体３への固定部９ａと、宝石のための定着部９ｂ、９ｂ’、９ｂ’’とを有している。この定着部９ｂ、９ｂ’、９ｂ’’は、取着される宝石のサイズにしたがって多くの異なるサイズを有している。また、前記固着部９ａは、座部４のサイズによって示されているような所定のサイズを有している。特に、定着手段８の前記アーム９は、座部４の前記肩部７の輪郭に整合するように意図されている前記第１の固着部９ａと、同じ定着手段８の前記アーム９の間の距離が宝石の直径の関数である前記第２の宝石の定着部９ｂ、９ｂ’、９ｂ’’とを有している。
【００１８】
本発明に係る前記リング集合体は、指輪に整合される宝石に依存して選択されている前記斜面溝２を同様に顧客の指のサイズに依存して選択されているリング本体３の前記ブリッジ部５とリブ６、６’とをまたがって位置させることにより、そして、好ましくはレーザー溶接により全体を固定することにより、組み立てられる。宝石は、前記リング本体３と組み立てられる前か後かに前記斜面溝２の上に固定されることができる。
【００１９】
リング本体３と斜面溝２とは、普通金、好ましくは、２４ｋｔの金、または、白金で作られている。  
本発明の有利な点は、上の記述からただちに理解される。
【００２０】
前記リング本体３の直径と、斜面溝２の定着部９ｂのサイズとは、両方顧客の要求に従って変化する。一方で、前記リング本体３に設けられた前記座部４と斜面溝２の前記固定部９ａとは、いずれの場合にも同じサイズを有している。このことは、所望のサイズのリング本体３が、所望のカラット重量の、対応する斜面溝２に取着されている宝石と整合されることを可能にしている。このように、指輪製造者は、前記組合せの結果生じることになる５０個の指輪よりもむしろ、在庫で１０個のサイズの前記リング本体３と、（最も需要のある５つのカラット重量に対応する）５つのサイズの前記斜面溝２とをだけを保持しているべきである。
【００２１】
さらに、本発明に係るリング集合体の両方の部分の組み立ては、座部４の特定の構造と斜面溝２の対応する固定部９ａとのおかげで、早く、信頼でき、正確である。前記斜面溝２のための座部４の接合表面の形状と幅は、この斜面溝２の極めて信頼できて正確な位置決めを確実にするようなものである。
【００２２】
記述されてきたことは、本発明の目的を形成している前記リング集合体の特定の実施の形態にすぎないことが理解されている。本発明に当業者は、本発明を特定の状態に適合させるために必要とされる全ての変更を、請求されているような保護の範囲をこの変更により出ることなく、もたらすことができるだろう。
【００２３】
例えば、リング本体３の前記座部４と、斜面溝２の前記対応する定着手段８とを、正確なＶ字型か、反転された台形か、半円筒の外形のような、上で示されたこと以外で形成することが可能かもしれない。
【００２４】
前記ロッド１０は、丸みのある、または、正方形の、または、多角形の断面のような上で示されている形状以外の形状を有することができ、また、リングの側面から突き出ないことができる。突き出ないことにより、前記集合体の機能性を害することなく最も多様な美的な要求に見合っている。
【図面の簡単な説明】
【００２５】
【図１】本発明に係るリング集合体の分解平面図である。
【図２】図１の集合体の斜面溝の斜視図である。
【図３】図１の方向Ａに従って図２の斜面溝の図である。
【図４】図３の方向Ｂに従って図２の斜面溝の図である。
【図５】図１の集合体のリング本体の斜視図である。
【図６】図１の方向Ａに従って、組み立てられた状態の本発明のリング集合体の図である。
【図７】宝石が白抜きになっている、図１のリング集合体の斜視図である。
【図８】斜面溝とリング本体との両方のいくつかの可能なサイズが描かれている、組み立てられた状態のリング集合体の平面図である。
【符号の説明】
【００２６】
１…リング集合体、２…斜面溝、３…リング本体、４…座部、９ａ…固定部、９ｂ…定着部、９ｂ’…定着部、９ｂ’’…定着部
【図１】
2006043452.tif 000003
【図２】
2006043452.tif 000004
【図３】
2006043452.tif 000005
【図４】
2006043452.tif 000006
【図５】
2006043452.tif 000007
【図６】
2006043452.tif 000008
【図７】
2006043452.tif 000009
【図８】
2006043452.tif 000010
【外国語明細書】
2006043452000001.pdf